【手続補正書】
【提出日】平成18年5月12日(2006.5.12)
【手続補正１】
【補正対象書類名】明細書
【補正対象項目名】発明の名称
【補正方法】変更
【補正の内容】
【発明の名称】カメラ
【手続補正２】
【補正対象書類名】明細書
【補正対象項目名】特許請求の範囲
【補正方法】変更
【補正の内容】
【特許請求の範囲】
【請求項１】  撮影レンズと、
上記撮影レンズが形成する被写体像を受光して画像データを出力する撮像手段と、
上記画像データとフォーカス位置を示す指標とを合成して表示するモニタと、
ブレを検出するセンサと、
レリーズスイッチと、
上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じて上記指標の表示位置を変化させることでフォーカスロックされた被写体の位置を示し、上記レリーズスイッチが全押し操作されると撮影動作を行う制御手段と、
を具備したことを特徴とするカメラ。
【請求項２】  撮影レンズと、
ブレ補正光学系と、
上記撮影レンズが形成する被写体像を受光して画像データを出力する撮像手段と、
上記画像データとフォーカス位置を示す指標とを合成して表示するモニタと、
ブレを検出するセンサと、
レリーズスイッチと、
上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じて上記指標の表示位置を変化させることでフォーカスロックされた被写体の位置を示し、上記レリーズスイッチが全押し操作されると上記センサの出力に応じて上記ブレ補正光学系を駆動しながら撮影動作を行う制御手段と、
を具備したことを特徴とするカメラ。
【請求項３】  被写体を確認するためのファインダ光学系と、
上記ファインダ光学系内で、被写体像と重なるように配置されフォーカス位置を示すために複数のセグメントから構成された表示手段と、
ブレを検出するセンサと、
レリーズスイッチと、
上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じてフォーカスロックされた被写体像に重なるセグメントを上記表示手段から選択し、このセグメントの透過率を変化させることでフォーカスロックされた被写体の位置を示し、上記レリーズスイッチが全押し操作されると撮影動作を行う制御手段と、
を具備したことを特徴とするカメラ。
【請求項４】  ブレ補正光学系と、
被写体を確認するためのファインダ光学系と、
上記ファインダ光学系内で、被写体像と重なるように配置されフォーカス位置を示すために複数のセグメントから構成された表示手段と、
ブレを検出するセンサと、
レリーズスイッチと、
上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じてフォーカスロックされた被写体像に重なるセグメントを上記表示手段から選択し、このセグメントの透過率を変化させることでフォーカスロックされた被写体の位置を示し、上記レリーズスイッチが全押し操作されると上記センサの出力に応じて上記ブレ補正光学系を駆動しながら撮影動作を行う制御手段と、
を具備したことを特徴とするカメラ。
【請求項５】  上記制御手段は、上記指標の表示位置をフォーカスロックを基点に上記センサの出力を積分した量と上記撮影レンズの焦点距離とから算出することを特徴とする請求項１若しくは２に記載のカメラ。
【請求項６】  上記制御手段は、上記透過率を変化させるセグメントをフォーカスロックを基点に上記センサの出力を積分した量と、上記撮影レンズの焦点距離とから選択することを特徴とする請求項３若しくは４に記載のカメラ。
【請求項７】  上記制御手段は、上記フォーカスロックと共にＡＥロックを行うことを特徴とする請求項１乃至４の何れか１項に記載のカメラ。
【手続補正３】
【補正対象書類名】明細書
【補正対象項目名】０００１
【補正方法】変更
【補正の内容】
【０００１】
【発明の属する技術分野】
この発明は、フォーカスロック若しくはＡＥロックした被写体の位置を表示可能なカメラに関するものである。
【手続補正４】
【補正対象書類名】明細書
【補正対象項目名】０００７
【補正方法】変更
【補正の内容】
【０００７】
この発明は上記実状に鑑みてなされたものであり、フォーカスロック若しくはＡＥロックが行われた位置を、フレーム変更が行われた後でも撮影者が確認することが可能なカメラを提供することを目的とする。
【手続補正５】
【補正対象書類名】明細書
【補正対象項目名】０００８
【補正方法】変更
【補正の内容】
【０００８】
【課題を解決するための手段】
すなわち第１の発明は、撮影レンズと、上記撮影レンズが形成する被写体像を受光して画像データを出力する撮像手段と、上記画像データとフォーカス位置を示す指標とを合成して表示するモニタと、ブレを検出するセンサと、レリーズスイッチと、上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じて上記指標の表示位置を変化させることでフォーカスロックされた被写体の位置を示し、上記レリーズスイッチが全押し操作されると撮影動作を行う制御手段と、を具備したことを特徴とする。  
また、第２の発明は、撮影レンズと、ブレ補正光学系と、上記撮影レンズが形成する被写体像を受光して画像データを出力する撮像手段と、上記画像データとフォーカス位置を示す指標とを合成して表示するモニタと、ブレを検出するセンサと、レリーズスイッチと、上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じて上記指標の表示位置を変化させることでフォーカスロックされた被写体の位置を示し、上記レリーズスイッチが全押し操作されると上記センサの出力に応じて上記ブレ補正光学系を駆動しながら撮影動作を行う制御手段と、を具備したことを特徴とする。
【手続補正６】
【補正対象書類名】明細書
【補正対象項目名】０００９
【補正方法】変更
【補正の内容】
【０００９】
第３の発明は、被写体を確認するためのファインダ光学系と、上記ファインダ光学系内で、被写体像と重なるように配置されフォーカス位置を示すために複数のセグメントから構成された表示手段と、ブレを検出するセンサと、レリーズスイッチと、上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じてフォーカスロックされた被写体像に重なるセグメントを上記表示手段から選択し、このセグメントの透過率を変化させることでフォーカスロックされた被写体の位置を示し、上記レリーズスイッチが全押し操作されると撮影動作を行う制御手段と、を具備したことを特徴とする。  
更に、第４の発明は、ブレ補正光学系と、被写体を確認するためのファインダ光学系と、上記ファインダ光学系内で、被写体像と重なるように配置されフォーカス位置を示すために複数のセグメントから構成された表示手段と、ブレを検出するセンサと、レリーズスイッチと、上記レリーズスイッチが半押し操作されるとフォーカスエリアに対応する被写体に対してフォーカスロックを行い、フォーカスロック後の構図変更によって生じるブレ量を上記センサの出力から求め、このブレ量に応じてフォーカスロックされた被写体像に重なるセグメントを上記表示手段から選択し、このセグメントの透過率を変化させることでフォーカスロックされた被写体の位置を示し、上記レリーズスイッチが全押し操作されると上記センサの出力に応じて上記ブレ補正光学系を駆動しながら撮影動作を行う制御手段と、を具備したことを特徴とする。
【手続補正７】
【補正対象書類名】明細書
【補正対象項目名】００１０
【補正方法】変更
【補正の内容】
【００１０】
第１の発明によるカメラにあっては、撮影レンズにより形成される被写体像が撮像手段で受光されて画像データが出力される。上記画像データとフォーカス位置を示す指標とが合成されてモニタに表示される。ブレを検出するセンサと、レリーズスイッチとを有し、上記レリーズスイッチが半押し操作されるとフォーカスエリアに対応する被写体に対してフォーカスロックが行われ、フォーカスロック後の構図変更によって生じるブレ量が上記センサの出力から求められ、このブレ量に応じて上記指標の表示位置が変化されることでフォーカスロックされた被写体の位置が示され、上記レリーズスイッチが全押し操作されると撮影動作が行われるよう、制御手段で制御される。 
また、第２の発明によるカメラにあっては、撮影レンズと、ブレ補正光学系とを有し、上記撮影レンズにより形成される被写体像が撮像手段で受光されて画像データが出力される。上記画像データとフォーカス位置を示す指標とが合成されてモニタに表示される。そして、ブレを検出するセンサと、レリーズスイッチとを有し、上記レリーズスイッチが半押し操作されるとフォーカスエリアに対応する被写体に対してフォーカスロックが行われ、フォーカスロック後の構図変更によって生じるブレ量が上記センサの出力から求められ、このブレ量に応じて上記指標の表示位置が変化されることでフォーカスロックされた被写体の位置が示され、上記レリーズスイッチが全押し操作されると上記センサの出力に応じて上記ブレ補正光学系が駆動されながら撮影動作が行われるよう制御手段で制御される。
【手続補正８】
【補正対象書類名】明細書
【補正対象項目名】００１１
【補正方法】変更
【補正の内容】
【００１１】
第３の発明によるカメラにあっては、ファインダ光学系によって被写体が確認され、上記ファインダ光学系内では、被写体像と重なるように配置されフォーカス位置を示すために表示手段が複数のセグメントから構成されている。また、ブレを検出するセンサと、レリーズスイッチとを有し、上記レリーズスイッチが半押し操作されるとフォーカスエリアに対応する被写体に対してフォーカスロックが行われ、フォーカスロック後の構図変更によって生じるブレ量が上記センサの出力から求められ、このブレ量に応じてフォーカスロックされた被写体像に重なるセグメントが上記表示手段から選択され、このセグメントの透過率が変化されることでフォーカスロックされた被写体の位置が示され、上記レリーズスイッチが全押し操作されると撮影動作が行われるよう制御手段で制御される。 
更に、第４の発明によるカメラにあっては、ブレ補正光学系と、被写体を確認するためのファインダ光学系とを有し、上記ファインダ光学系内では、被写体像と重なるように配置されフォーカス位置を示すために表示手段が複数のセグメントから構成されている。また、ブレを検出するセンサと、レリーズスイッチとを有し、上記レリーズスイッチが半押し操作されるとフォーカスエリアに対応する被写体に対してフォーカスロックが行われ、フォーカスロック後の構図変更によって生じるブレ量が上記センサの出力から求められ、このブレ量に応じてフォーカスロックされた被写体像に重なるセグメントが上記表示手段から選択され、このセグメントの透過率が変化されることでフォーカスロックされた被写体の位置が示され、上記レリーズスイッチが全押し操作されると上記センサの出力に応じて上記ブレ補正光学系が駆動されながら撮影動作が行われるように制御手段で制御される。
【手続補正９】
【補正対象書類名】明細書
【補正対象項目名】００１３
【補正方法】変更
【補正の内容】
【００１３】
図１は、この発明のカメラが適用された電子スチルカメラの主要部の構成を示したブロック図である。
【手続補正１０】
【補正対象書類名】明細書
【補正対象項目名】００９５
【補正方法】変更
【補正の内容】
【００９５】
【発明の効果】
以上のようにこの発明によれば、フォーカスロック若しくはＡＥロックが行われた位置を、フレーム変更が行われた後でも撮影者が確認することが可能なカメラを提供することができる。
【手続補正１１】
【補正対象書類名】明細書
【補正対象項目名】図１
【補正方法】変更
【補正の内容】
【図１】
図１は、この発明のカメラが適用された電子スチルカメラの主要部の構成を示したブロック図である。